(57)【要約】      （修正有）【課題】架設した線材を取り除く際に、線材を把持することなく行うことができ手を傷つける虞のない線材架設式鳥害防止装置を提供する。【解決手段】手摺に着脱自在とした取付金具２に設けた支柱３に該支柱３の上端から筒体４を着脱自在に嵌合してなる線材架設具１の少なくとも２個と、間隔をおいて手摺に取り付けた前記２個の線材架設具１、１の前記筒体４に設けた線材架設部５に両端を係止させた弾性を備えた線材６とよりなる。【選択図】 図１
0003163884.tif 000002
【実用新案登録請求の範囲】
【請求項１】
手摺に着脱自在とした取付金具に設けた支柱に該支柱の上端から筒体を着脱自在に嵌合してなる線材架設具の少なくとも２個と、間隔をおいて手摺に取り付けた前記２個の線材架設具の前記筒体に設けた線材架設部に両端を係止させた弾性を備えた線材とよりなることを特徴とする線材架設式鳥害防止装置。
【請求項２】
前記線材架設具の支柱は下端に設けた雄ネジ部を取付金具に設けた雌ネジ部に螺合して着脱自在とした請求項１に記載の線材架設式鳥害防止装置。
【請求項３】
前記支柱を円柱状に形成するとともに前記筒体を円筒状に形成して該筒体を前記支柱に回動自在とした請求項１又は２に記載の線材架設式鳥害防止装置。
【請求項４】
前記支柱に該支柱の上端から複数個の筒体を着脱自在に嵌合した請求項１又は２又は３に記載の線材架設式鳥害防止装置。
【請求項５】
前記取付金具を取付金具本体の前後に下向きに側板部を折曲した断面コ字状に形成したものとして、一方の側板部に設けた雌ネジに螺合したクランプネジの先端部と他方の側板部との間に手摺を挟んで前記取付金具を手摺に着脱自在とした請求項１から請求項４の何れかの項に記載の線材架設式鳥害防止装置。
【請求項６】
前記クランプネジの先端部を、該クランプネジの先端に底部をもって回動自在に軸支した有底短円筒体の筒部先端に前面周縁に中心から９０度の角度をおいて４個の傾斜状突起を設けた合成ゴムよりなる押圧部材を嵌合したものとした請求項５に記載の線材架設式鳥害防止装置。
【請求項７】
前記取付金具本体の前後に前記支柱の下端に設けた雄ネジ部と螺合する雌ネジ部を複数設けた請求項６又は７に記載の線材架設式鳥害防止装置。
【請求項８】
前記取付金具本体の前後に下向きに折曲した側板部に前記支柱の下端に設けた雄ネジ部に螺合する雌ネジを設けた請求項７に記載の線材架設式鳥害防止装置。
【請求項９】
前記線材架設部を筒体の上方周縁に張設した鍔部に設けた係止孔よりなるものとした請求項１から請求項８の何れかの項に記載の線材架設式鳥害防止装置。
【請求項１０】
前記筒体の上方周縁に張設した鍔部に設けた係止孔よりなるものとした前記線材架設部を前記鍔部に筒体を挟んで対向して２個設けた請求項９に記載の線材架設式鳥害防止装置。
【請求項１１】
前記弾性を備えた線材を、コイルバネと弾性のない線材よりなるものとした請求項１から請求項１０の何れかの項に記載の線材架設式鳥害防止装置。
【考案の詳細な説明】
【技術分野】
【０００１】
本考案は、鳩等の鳥類がベランダ内に飛来することを防止するための線材を使用した線材架設式鳥害防止装置に関するものである。
【背景技術】
【０００２】
マンション、アパート、家屋等のベランダの手摺等に設置して鳩等の鳥類がベランダ内に飛来することを防止するために手摺等の上に設置するナイロン糸、凧糸、ステンレス線等の線材使用した鳥害防止装置としては、手摺の上に取り付けた一対の支柱間にコイルバネ等の弾性材を設けた線材を架設したものが知られている（例えば、特許文献１、２、３参照）。
【０００３】
ところが、前記のような従来の鳥害防止装置は、ベランダの手摺等に布団等を干す場合に線材を取り除く際に線材の端部に設けたフックを支柱に設けたフック受具から外して行う際に線材を手で把持して弾性材を伸張させて線材全体を長くさせて緩めて行う必要があるため線材により手が傷つけられる虞がある。
【先行技術文献】
【特許文献】
【０００４】
【特許文献１】特開平９−９８５２号公報
【特許文献２】特開２００２−１１９１９１号公報
【特許文献３】特許第４５０７２０３号公報
【考案の概要】
【考案が解決しようとする課題】
【０００５】
本発明は前記したような問題を解決して、架設した線材を取り除く際に、線材を把持することなく行うことができ手を傷つける虞のない線材架設式鳥害防止装置を提供するものである。
【課題を解決するための手段】
【０００６】
前記した課題を解決した本考案の線材架設式鳥害防止装置は、手摺に着脱自在とした取付金具に設けた支柱に該支柱の上端から筒体を着脱自在に嵌合してなる線材架設具の少なくとも２個と、間隔をおいて手摺に取り付けた前記２個の線材架設具の前記筒体に設けた線材架設部に両端を係止させた弾性を備えた線材とよりなることを特徴とするものを基本の考案とする。
【０００７】
そして、前記の考案において、前記線材架設具の支柱は下端に設けた雄ネジ部を取付金具に設けた雌ネジ部に螺合して着脱自在とすることが好ましいものである。また、前記支柱を円柱状に形成するとともに前記筒体を円筒状に形成して該筒体を前記支柱に回動自在とすることが好ましいものである。また、前記支柱に該支柱の上端から複数個の筒体を着脱自在に嵌合してもよい。
【０００８】
また、前記取付金具を取付金具本体の前後に下向きに側板部を折曲した断面コ字状に形成したものとして、一方の側板部に設けた雌ネジに螺合したクランプネジの先端部と他方の側板部との間に手摺を挟んで前記取付金具を手摺に着脱自在とすることが好ましいものである。
【０００９】
さらに、前記クランプネジの先端部を、該クランプネジの先端に底部をもって回動自在に軸支した有底短円筒体の筒部先端に前面周縁に中心から９０度の角度をおいて４個の傾斜状突起を設けた合成ゴムよりなる押圧部材を嵌合したものとすることがより好ましいものである。
【００１０】
また、前記取付金具本体の前後に前記支柱の下端に設けた雄ネジ部と螺合する雌ネジ部を複数設けてもよい。そして、前記取付金具本体の前後に下向きに折曲した側板部に前記支柱の下端に設けた雄ネジ部に螺合する雌ネジを設けてもよい。
【００１１】
また、前記線材架設部を筒体の上方周縁に張設した鍔部に設けた係止孔よりなるものとしている。さらに、係止孔よりなるものとした前記線材架設部を前記鍔部に筒体を挟んで対向して２個設けることが好ましいものである。
【００１２】
また、前記弾性を備えた線材を、コイルバネと弾性のない線材よりなるものとしてもよい。
【考案の効果】
【００１３】
前記のような本考案に係る線材架設式鳥害防止装置は、手摺に着脱自在とした取付金具に設けた支柱に該支柱の上端から筒体を着脱自在に嵌合してなる線材架設具の少なくとも２個と、間隔をおいて手摺に取り付けた前記２個の線材架設具の前記筒体に設けた線材架設部に両端を係止させた弾性を備えた線材とよりなるから、鳩等の鳥は前記線材により手摺に止まることができないことは勿論のこと当該線材にも止まることができないので、ベランダに侵入することも無いものである。
【００１４】
また、本考案は線材架設具を取付金具により手摺に着脱自在としているので、線材架設具の２個を適宜の間隔により取り付けできるものであり、種々のベランダの幅に対応できるものである。また、弾性を備えた線材の両端を係止させた線材架設部を設けた筒体は前記したとおり支柱に該支柱の上端から着脱自在に嵌合したものであるから、手摺に布団等を干す場合に線材を取除際には筒体を支柱の上方に向けて引き抜けば、線材を弾性により伸長させ筒体を支柱から取り外して線材を手摺の上から取り除いて布団等を干すことができるものである。この場合に線材を手で把持する必要がないもので線材により手を傷つける虞れのないものである。
【００１５】
そして、布団等を手摺に架けた後は、筒体を支柱に嵌合すれば線材は布団等の上に架設された状態となるので、鳩等の鳥は前記線材により布団の上や当該線材にも止まることができないので、鳥の足跡や糞等で布団が汚損することもなく、また、ベランダに侵入することも無いものである。なお、前記支柱を円柱状に形成するとともに前記筒体を円筒状に形成して該筒体を前記支柱に回動自在としたものであれば、筒体を支柱に嵌合する作業は容易なものとなる。
【００１６】
また、前記線材架設具の支柱は下端に設けた雄ネジ部を取付金具に設けた雌ネジ部に螺合して着脱自在とすることにより製造が容易であり安価に提供できるものである。
【００１７】
また、前記取付金具を取付金具本体の前後に下向きに側板部を折曲した断面コ字状に形成したものとして、一方の側板部に設けた雌ネジに螺合したクランプネジの先端部と他方の側板部との間に手摺を挟んで着脱自在とすることにより、手摺への着脱作業が容易なものとなる。
【００１８】
さらに、前記クランプネジの先端部を、該クランプネジの先端に底部をもって回動自在に軸支した有底短円筒体の筒部先端に前面周縁に中心から９０度の角度をおいて４個の傾斜状突起を設けた合成ゴムよりなる押圧部材を嵌合したものであるので、該押圧部材が手摺が断面円形のものであってもその形状に馴染んで押圧することができるものである。
【００１９】
また、前記取付金具の前記取付金具本体の前後に前記支柱の下端に設けた雄ネジ部と螺合する雌ネジ部を複数設けたものとすると、支柱を任意の雌ネジ部に選択して取り付けて位置変更できるものであり、また、複数の支柱を前後に併設して手摺の上に線材を前後に複数架設することもできるものである。そして、前記取付金具本体の前後に下向きに折曲した側板部に支柱の下端に設けた雄ネジ部に螺合する雌ネジを設けていれば、手摺の状態によっては取付金具の側板部に支柱を取り付けてすることもできるものである。
【００２０】
また、前記線材架設部を筒体の上方周縁に張設した鍔部に設けた係止孔よりなるものとすることにより線材のフック部の係止が容易となる。さらに、係止孔よりなるものとした前記線材架設部を前記鍔部に筒体を挟んで対向して２個設けることにより、３個以上の線材架設具を手摺に取り付けて各線材架設具の間に線材を架設できるものである。
【００２１】
また、前記弾性を備えた線材を、コイルバネと弾性のない線材よりなるものとすることにより、線材自体に弾性を付与したものに比べ鳥が嫌う極細の線材を使用できるものである。
【図面の簡単な説明】
【００２２】
【図１】本考案の実施形態を示す一部切欠正面図。
【図２】本考案の実施形態を示す側面断面図。
【図３】本考案の実施形態を筒体を外した状態で示す正面図。
【図４】本考案の実施形態を線材架設具を３個使用して示す概略平面図。
【図５】本考案の実施形態に使用する支柱の１例を示す正面図。
【図６】本考案の実施形態に使用する筒体を示す図であり、（イ）は平面図、（ロ）は正面図、（ハ）は（イ）図のＡ−Ａ断面図、（ニ）は（イ）図のＢ−Ｂ断面図。
【図７】本発明の実施形態の取付金具とクランプネジを示す断面図。
【図８】本発明の実施形態の取付金具とクランプネジを示す底面図。
【図９】断面円形の手摺への取付状態を示す断面図。
【考案を実施するための形態】
【００２３】
次に、本考案の好ましい実施の形態を図面に基づき説明する。
【００２４】
図１-図３において、１は線材架設具であり、該線材架設具１は手摺１００に着脱自在とした取付金具２に設けた支柱３に該支柱３の上端から筒体４を複数すなわち２個着脱自在に嵌合したものである。この線材架設具１は間隔をおいて手摺１００に少なくとも２個取り付けて、この２個の線材架設具１、１の前記筒体４に設けた線材架設部５に弾性を備えた線材６の両端を係止させて、前記線材６を手摺１００の上に架設して、鳩等の鳥を手摺１００に止まることができないこととすることは勿論のこと当該線材６にも止まることができないものとして、鳥がベランダに侵入することを防止するものである。
【００２５】
また、本考案は線材架設具１を取付金具２により手摺１００に着脱自在としているので、線材架設具１の２個を適宜の間隔により取り付けできるものであり、種々のベランダの幅に応じて取り付けできるものである。また、弾性を備えた線材６の両端を係止させた線材架設部５を設けた筒体４は前記したとおり支柱３に該支柱３の上端から着脱自在に嵌合したものであるから、手摺１００に布団等を干す場合に線材６を取り除く際には図３に示すように筒体４を支柱３の上方に向けて引き抜けば、線材６はその弾性により伸長して引き抜き作業の障害とならず筒体４を支柱３から取り外して線材６を手摺１００の上から取り除いて布団等を干すことができるものである。この場合に線材６を手で把持する必要がないので線材６が極細のものであっても手を傷つける虞れのないものである。
【００２６】
そして、布団等を手摺１００に架けた後は、筒体４を支柱３に嵌合すれば線材６は布団等の上に架設された状態となるので、鳩等の鳥は前記線材１００により布団の上や当該線材１００にも止まることができないので、布団を鳥の足跡や糞等で汚損する虞もなく、また、ベランダに侵入することも無いものである。なお、筒体４を支柱３から外した状態とした場合には、線材６を筒体４に巻きつけることができるので線材６が絡まったりすることがないものである。また、前記支柱３を円柱状に形成するとともに前記筒体４を円筒状に形成して該筒体４を前記支柱３に回動自在としたものであれば、筒体４を支柱３に嵌合する作業は容易なものとなる。
【００２７】
また、前記線材架設具１の支柱３は図２に示すように下端に設けた雄ネジ部３ａを取付金具２に設けた雌ネジ部２ａに螺合して着脱自在としており、製造が容易で安価に提供できるものとしている。なお、図２に示すように支柱３の雄ネジ部３ａの頭部と取付金具２の間にワッシャー３ｂを介在させてある。
【００２８】
また、前記線材架設具１の取付金具２は、水平板状の取付金具本体２０の前後に下向きに側板部２１、２２を折曲した断面コ字状に形成したものであり、一方の側板部２１に設けた雌ネジ２１ａに螺合したクランプネジ７の先端部と他方の側板部２２との間に手摺１００を挟んで着脱自在として、手摺への着脱を容易なものとしている。
【００２９】
前記クランプネジ７の先端部は、図７に示すように該クランプネジ７の先端に底部７１をもって回動自在に軸支した有底短円筒体７０の筒部７１先端に前面周縁に両側及び内側を傾斜凹面に形成した突起７２ａの４個を９０度の角度をおいて配設した合成ゴムよりなる押圧部材７２を嵌合したものである。これにより該押圧部材７２は手摺１００が断面円形のものであっても合成ゴムの弾性による４個の突起７２ａの接触により断面円形の手摺１００に馴染んで的確に押圧して取付金具２を図９に示すように手摺１００に取り付けできるものである。なお、断面円形の手摺１００に的確に取り付けできるものとするため取付金具２の他方の側板部２２の内面に断面円形の手摺を咬みこむ鋸歯状部２２ａが設けてある。
【００３０】
また、図２、図７に示すように前記取付金具２の前記取付金具本体２０の前後に前記支柱３の下端に設けた雄ネジ部３ａと螺合する雌ネジ部２ａを複数設けたものとすると、支柱３を任意の雌ネジ部２ａに選択して取り付けて位置変更できるものであり、太さ異なる手摺の上部位置に的確に線材６を架設できるものである。また、複数の支柱３を前後に併設して手摺の上に線材６を前後に複数架設することもできる。
【００３１】
また、前記取付金具２の前後の側板部２１、２２に前記支柱３の下端に設けた雄ネジ部３ａに螺合する雌ネジ２ａを設けていれば、手摺１００の状態によってクランプネジ７の螺合作業が手摺１００の下方又は上方から行うものである場合に手摺１００の上面に位置することとなる取付金具２の側板部２１、２２に支柱３を取り付けてすることができる。
【００３２】
また、前記線材架設部５を筒体３の上方周縁に張設した鍔部４１に設けた係止孔４２よりなるものとして、線材６のフック部６ａの係止が容易なものとしている。さらに、係止孔４２よりなるものとした前記線材架設部５を前記鍔部４１に筒体４を挟んで対向して２個設けており、３個以上の線材架設具１を手摺１００に取り付けて各線材架設具１の間に線材６を架設できるものとしている。例えば、図４に示すように手摺１００がＬ字状に設置されている場合にコーナーに１個の線材架設具１をＬ字状の手摺の両端部に夫々１個の線材架設具１を計３個を取り付けて、コーナーの線材架設具１の前記鍔部４１に対向して２個設けた線材架設部５、５と両端部の線材架設具１、１の線材架設部５、５との間に夫々線材６、６を架設することができるものである。この場合に筒体４を支柱３に回動自在なものとすることによりコーナーの線材架設具１の線材架設部５、５は線材６、６の引っ張り方向に応じて自由に向きを変えることができるものである。
【００３３】
また、前記弾性を備えた線材６は線材自体に弾性を付与したものであってもよいが、この実施形態ではコイルバネ６１と弾性のない線材６２よりなるものとして、これにより市販されている鳥が全く止まることのできない極細の線材を使用できるものとしている。この線材としてはナイロン糸、凧糸、ステンレス線等がある。
【００３４】
なお、図１及び図２に示すように支柱３の先端にキャップ８が取り付けてあり、該支柱３の先端のエッジ部を被覆している。また、該キャップ８は前記筒体４と一体として設けたものとしてもよいものである。また、図２、図７に示すようにクランプネジ７の基端には螺合作業を容易とするためのレバー７ａが設けてある。
【００３５】
また、前記実施形態では筒体４を支柱３に２個嵌合したものであるが、１個でもよく、また、３個であってもよいものである。さらに、筒体４に設けた線材架設部５は該筒体４の上方に設けたものであるが、中央でもよく、また、筒体４を支柱３に１個嵌合したものにあっては上下に複数設けたものであってもよい。
【符号の説明】
【００３６】
１  線材架設具
２  取付金具
2a  雌ネジ部
20  取付金具本体
21  側板部
22  側板部
３  支柱
3a  雄ネジ部
４  筒体
41  鍔部
42  係止孔
５  線材架設部
６  線材
７  クランプネジ
【図１】
0003163884.tif 000003
【図２】
0003163884.tif 000004
【図３】
0003163884.tif 000005
【図４】
0003163884.tif 000006
【図５】
0003163884.tif 000007
【図６】
0003163884.tif 000008
【図７】
0003163884.tif 000009
【図８】
0003163884.tif 000010
【図９】
0003163884.tif 000011